(57)【要約】【課題】本発明は、複数の駆動周波数に対応して光電変換素子を効率的に駆動する光電変換素子駆動装置及び画像読取装置に関する。【解決手段】画像読取装置１は、タイミング発生回路２１の出力する駆動用クロックＸφ１、Ｘφ２に基づいて、ドライバＩＣ２４が、ローのイネイブル信号の入力されている駆動回路ブロック２４Ａ〜２４Ｐから駆動信号φ１、φ２を出力してＣＣＤイメージセンサ１２を駆動させるが、ＦＶ変換器２２が、この駆動用クロックＸφ１、Ｘφ２の周波数と同じ周波数の参照クロックを電圧値に変換して周波数対応電圧をＡ／Ｄ変換器２３に出力し、Ａ／Ｄ変換器２３が周波数対応電圧をデジタル変換してデコーダ３０に出力して、デコーダ３０が周波数対応電圧データをデコードして、イネイブルとする駆動回路ブロック数を決定して、対応する駆動回路ブロック２４Ａ〜２４Ｐをイネイブルとする。【選択図】          図２
2006303591.tif 000002
【特許請求の範囲】
【請求項１】
入射光を光電変換するとともに複数の駆動周波数に対応する光電変換素子と、複数の駆動ブロックに分割され各駆動ブロック毎にその出力をイネイブルとディセイブルに切り換えて当該出力がイネイブルの駆動ブロックによって前記光電変換素子を駆動する駆動手段と、前記駆動周波数を検出して当該駆動周波数に応じて前記駆動手段の複数の駆動ブロックのうちイネイブルまたはディセイブルとする駆動ブロック数を決定して当該複数の駆動ブロックをイネイブルまたはディセイブルに切り換える切換信号を当該駆動手段に出力する駆動制御手段と、を備えていることを特徴とする光電変換素子駆動装置。
【請求項２】
駆動手段で駆動される光電変換素子に撮像対象からの入射光を入射させて、当該光電変換素子で光電変換して撮像対象を撮像する画像読取装置において、前記駆動手段を駆動制御する駆動制御手段を備え、前記光電変換素子が、複数の駆動周波数に対応し、前記駆動手段が、複数の駆動ブロックに分割され各駆動ブロック毎にその出力をイネイブルとディセイブルに切り換えて当該出力がイネイブルの駆動ブロックによって前記光電変換素子を駆動し、前記駆動制御手段が、前記駆動周波数を検出して当該駆動周波数に応じて前記駆動手段の複数の駆動ブロックのうちイネイブルまたはディセイブルとする駆動ブロック数を決定して当該複数の駆動ブロックをイネイブルまたはディセイブルに切り換える切換信号を当該駆動手段に出力することを特徴とする画像読取装置。
【請求項３】
前記駆動制御手段は、前記駆動周波数を検出して周波数対応電圧値に変換する周波数電圧変換器と、当該周波数対応電圧値から前記イネイブルまたはディセイブルとする駆動ブロック数に対応するデジタル電圧データにデジタル変換して当該デジタル電圧データを前記切換信号として前記駆動手段に入力するＡ／Ｄ変換器と、を備え、前記駆動手段が、当該デジタル電圧データに応じて前記駆動ブロックの出力をイネイブルまたはディセイブルに切り換えることを特徴とする請求項１記載の光電変換素子駆動装置または請求項２記載の画像読取装置。
【発明の詳細な説明】
【技術分野】
【０００１】
本発明は、光電変換素子駆動装置及び画像読取装置に関し、詳細には、複数の駆動周波数に対応して光電変換素子を効率的に駆動する光電変換素子駆動装置及び画像読取装置に関する。
【背景技術】
【０００２】
画像読取装置は、一般的に、光源から原稿に照射して、原稿で反射された反射光をＣＣＤ（Charge Coupled Device ）等の光電変換素子に入射し、光電変換素子で光電変換することで、原稿の画像を読み取っている。
【０００３】
そして、光電変換素子であるＣＣＤは、駆動回路（ドライバ）からの転送クロックＰＨ１（φ１）、ＰＨ２（φ２）、ＰＨ２Ｂ（φ２Ｂ）によって駆動され、転送クロックφ１と転送クロックφ２、最終段転送クロックφ２Ｂは互いに逆相になっているが、この転送クロックＰＨ１↓と転送クロックＰＨ２↑及び転送クロックＰＨ１↑と転送クロックＰＨ２↓のクロスポイントを、ＣＣＤによって電圧レベルは異なるが、１．５Ｖ〜２Ｖ以上に確保する必要がある。ＣＣＤでは、このクロスポイントを確保することができないと、転送効率の低下や電荷の先送り現象（ＰＲＮＵ（Photo Response Non-Uniformity）の悪化）が発生する。
【０００４】
そして、本出願人は、先に、転送クロック入力端子への入力周波数で当該入力端子の入力容量とほぼ共振するインダクタンス値を有するインダクタを、当該インダクタの片端が入力端子に接続するように設け、インダクタの他端を入力周波数において十分短絡とみなせる容量の片端に接続し、当該容量の他端を定電圧点に接続し、入力端子を駆動回路で駆動するＣＣＤラインセンサの駆動装置を提案している（特許文献１参照）。
【０００５】
すなわち、この従来技術は、ＣＣＤラインセンサの転送クロック入力端子が駆動されている場合には、入力容量とインダクタの間で駆動周波数とほぼ等しい周波数で電荷のやりとりが生じ、このやりとりで消費される電力に相当する分だけが駆動回路から供給されて、駆動回路が吐き出す電流、または、吸い込む電流が格段に小さくなって駆動回路での消費電力が抑制されて、高速駆動を可能とすることができる。
【０００６】
また、従来、デジタルカメラ等でＣＣＤを低速で駆動するモードと高速で駆動する２つのモードがあり、低速のときはＣＣＤドライバの出力端子数を少なくすることで消費電力を低減させる技術が提案されている（特許文献２参照）。
【０００７】
例えば、従来、ＣＣＤの駆動系は、図３に示すように、画像を読み取って光電変換するＣＣＤ１０１、タイミング発生器１０２、ドライバＩＣ１０３、ＣＣＤイメージセンサ１２の出力するアナログ画像信号の増幅処理及びサンプルホールド処理等を行うアナログ処理回路１０４及びアナログ画像信号をデジタル画像データに変換するＡ／Ｄ変換器１０５等を備えており、ドライバＩＣ１０３としては、汎用ドライバＩＣのＡＣＴ２４０が用いられている。
【０００８】
ドライバＩＣ１０３は、８回路構成で４回路ずつのブロックＡとブロックＢの２ブロックからなり、ブロック毎にアウトプット（OUTPUT）イネイブル端子が設けられている。ＣＣＤ１０１は、駆動信号（転送クロック）φ１、φ２とクランプ信号ＣＰ、リセット信号ＲＳ等があるが、ここでは、駆動信号φ１、φ２についての対応とし、さらに、駆動信号φ１、φ２ともに２端子とする。
【０００９】
そして、上記特許文献２の従来技術のように、定速モードと高速モードの２モードで駆動させる場合、ＣＣＤ駆動周波数として、２０ＭＨｚと１５ＭＨｚを用いると、２０ＭＨｚ駆動時には、高い駆動能力を必要とするため、ブロックＡとブロックＢの両方ともイネイブルとし、１５ＭＨｚ駆動時には、それほど高い駆動能力を必要としないため、例えば、ブロックＡのみをイネイブルとする。したがって、２０ＭＨｚ駆動のときには、イネイブル端子Ａ、Ｂともにロー（ローアクティブ）、１５ＭＨｚ駆動のときには、ブロックＡのみをローとする。
【００１０】
【特許文献１】特開平５−１９９３５９号公報
【特許文献２】特開２００４−３２０１７７号公報
【発明の開示】
【発明が解決しようとする課題】
【００１１】
しかしながら、上記従来技術にあっては、複数の駆動周波数に対応して、容易かつ適切にＣＣＤを駆動する上で、改良の必要があった。
【００１２】
すなわち、特許文献１記載の従来技術にあっては、入力容量とインダクタの間で駆動周波数とほぼ等しい周波数で電荷のやりとりが生じて消費される電力に相当する分だけが駆動回路から供給され、駆動回路が吐き出す電流、または、吸い込む電流が格段に小さくなって駆動回路での消費電力が抑制され、高速駆動を行うことはできるが、複数の駆動周波数に適切に対応させることができるか否か不明であり、改良の必要があった。
【００１３】
また、特許文献２記載の従来技術にあっては、低速で駆動するモードと高速で駆動するモードの２つのモードがあり、低速のときはＣＣＤドライバの出力端子数を少なくすることで消費電力を低減させているが、高低の２モードだけに対応させるのでは不十分であり、例えば、低速時には出力端子数をもっと少なくできることもあり、出力端子数も半分では足りず結果的に高速モードと同数にする必要があることもあり、また、ＣＣＤ駆動信号φ１、φ２等はＨｉｇｈ期間やクロスポイント電圧値等の規定が明確に定められているので、適当に出力端子数を半分にすることができないだけでなく、駆動周波数によって、いちいちドライバ毎にイネイブルかディセイブルかを制御で設定するのは、大変であり、容易かつ適切に複数の駆動周波数に対応させて駆動する上で、改良の必要があった。
【００１４】
そこで、本発明は、ＣＣＤ等の光電変換素子の駆動周波数に応じて、光電変換素子を駆動する複数の駆動ブロックの数を簡単かつ適切に選択し、簡単かつ適切に複数の駆動周波数に対応させて駆動する光電変換素子駆動装置及び画像読取装置を提供することを目的としている。
【課題を解決するための手段】
【００１５】
請求項１記載の発明の光電変換素子駆動装置は、入射光を光電変換するとともに複数の駆動周波数に対応する光電変換素子と、複数の駆動ブロックに分割され各駆動ブロック毎にその出力をイネイブルとディセイブルに切り換えて当該出力がイネイブルの駆動ブロックによって前記光電変換素子を駆動する駆動手段と、前記駆動周波数を検出して当該駆動周波数に応じて前記駆動手段の複数の駆動ブロックのうちイネイブルまたはディセイブルとする駆動ブロック数を決定して当該複数の駆動ブロックをイネイブルまたはディセイブルに切り換える切換信号を当該駆動手段に出力する駆動制御手段と、を備えていることにより、上記目的を達成している。
【００１６】
請求項２記載の発明の画像読取装置は、駆動手段で駆動される光電変換素子に撮像対象からの入射光を入射させて、当該光電変換素子で光電変換して撮像対象を撮像する画像読取装置において、前記駆動手段を駆動制御する駆動制御手段を備え、前記光電変換素子が、複数の駆動周波数に対応し、前記駆動手段が、複数の駆動ブロックに分割され各駆動ブロック毎にその出力をイネイブルとディセイブルに切り換えて当該出力がイネイブルの駆動ブロックによって前記光電変換素子を駆動し、前記駆動制御手段が、前記駆動周波数を検出して当該駆動周波数に応じて前記駆動手段の複数の駆動ブロックのうちイネイブルまたはディセイブルとする駆動ブロック数を決定して当該複数の駆動ブロックをイネイブルまたはディセイブルに切り換える切換信号を当該駆動手段に出力することにより、上記目的を達成している。
【００１７】
請求項１または請求項２において、例えば、請求項３に記載するように、前記駆動制御手段は、前記駆動周波数を検出して周波数対応電圧値に変換する周波数電圧変換器と、当該周波数対応電圧値から前記イネイブルまたはディセイブルとする駆動ブロック数に対応するデジタル電圧データにデジタル変換して当該デジタル電圧データを前記切換信号として前記駆動手段に入力するＡ／Ｄ変換器と、を備え、前記駆動手段が、当該デジタル電圧データに応じて前記駆動ブロックの出力をイネイブルまたはディセイブルに切り換えてもよい。
【発明の効果】
【００１８】
本発明の光電変換素子駆動装置によれば、複数の駆動周波数に対応する光電変換素子を駆動する駆動手段の駆動ブロック数を、現在の駆動周波数に応じて、簡単かつ適切に選択して駆動させるので、各種周波数の装置に簡単かつ適切に対応させることができ、利用性を向上させることができる。
【００１９】
本発明の画像読取装置によれば、複数の駆動周波数に対応して撮像対象からの入射光を光電変換して撮像対象を撮像する光電変換素子を駆動する駆動手段の駆動ブロック数を、現在の駆動周波数に応じて、簡単かつ適切に選択して駆動させるので、各種周波数で簡単かつ適切に動作させることができ、利用性を向上させることができる。
【発明を実施するための最良の形態】
【００２０】
以下、本発明の好適な実施例を添付図面に基づいて詳細に説明する。なお、以下に述べる実施例は、本発明の好適な実施例であるから、技術的に好ましい種々の限定が付されているが、本発明の範囲は、以下の説明において特に本発明を限定する旨の記載がない限り、これらの態様に限られるものではない。
【実施例１】
【００２１】
図１及び図２は、本発明の光電変換素子駆動装置及び画像読取装置の一実施例を示す図であり、図１は、本発明の光電変換素子駆動装置及び画像読取装置の一実施例を適用したブック型の画像読取装置１の正面概略構成図である。
【００２２】
図１において、画像読取装置１は、本体筐体２の上面部に、コンタクトガラス３と図示しない白基準板が配設されており、コンタクトガラス３の下方の本体筐体２の内部には、光源４と第１ミラー５を搭載する第１キャリッジ６、第２ミラー７と第３ミラー８を搭載する第２キャリッジ９、レンズユニット１０及びセンサーボードユニット１１に搭載されている光電変換素子としてのＣＣＤ（Charge Coupled Device ）イメージセンサ１２等が配設されている。なお、光電変換素子としては、ＣＣＤイメージセンサ１２に限るものではない。
【００２３】
第２キャリッジ９は、図１の第１キャリッジ６よりも副走査方向の左側に位置し、第１キャリッジ６と第２キャリッジ９が、副走査方向に移動しながらコンタクトガラス３上にセットされた原稿の画像を読み取る。
【００２４】
コンタクトガラス３の上部には、コンタクトガラス３の上面を開閉可能に閉止する圧板１３が設けられており、圧板１３は、当該圧板１３を開いてコンタクトガラス３上に原稿がセットされた後に閉じられることで、当該コンタクトガラス３上にセットされた原稿をコンタクトガラス３に押しつける。
【００２５】
画像読取装置１は、コンタクトガラス３上にセットされた原稿を、第１キャリッジ６及び第２キャリッジ９を副走査方向に移動させながら、第１キャリッジ６に搭載された光源４から、コンタクトガラス３上の原稿に光を照射して、原稿で反射された光を、第１キャリッジ６上の第１ミラー５、第２キャリッジ９上の第２ミラー７及び第３ミラー８で順次反射して、レンズユニット１０を介してＣＣＤイメージセンサ１２に集光照射し、ＣＣＤイメージセンサ１２で入射光を光電変換して、原稿の画像を読み取る。このとき、画像読取装置１は、図示しないスキャナモータにより第１キャリッジ６と第２キャリッジ９を、第２キャリッジ９が第１キャリッジ６の１／２の速度で従動して、第１キャリッジ６と第２キャリッジ９が２対１の速度比となるように駆動させる。
【００２６】
画像読取装置１は、原稿の読み取り前に、第１キャリッジ６と第２キャリッジ９を白基準板の読取位置に移動し、当該白基準板に光源４から光を照射して、白基準板からの反射光を第１ミラー５、第２ミラー７、第３ミラー８で順次反射してレンズユニット１０に入射させ、レンズユニット１０でＣＣＤイメージセンサ１２に縮小結像させる。ＣＣＤイメージセンサ１２が入射光を光電変換することで、シェーディング補正データを取得する。
【００２７】
その後、画像読取装置１は、第１キャリッジ６と第２キャリッジ９をホームポジション位置に移動させて、当該ホームポジション位置から、コンタクトガラス３上に載置されている原稿に光源４から光を照射しつつ、上述のように、第１キャリッジ６と第２キャリッジ９を２：１の速度比で副走査方向に移動させて、原稿で反射される反射光を、第１ミラー５、第２ミラー７、第３ミラー８で順次反射してレンズユニット１０に入射させ、レンズユニット１０でＣＣＤイメージセンサ１２に縮小結像させる。ＣＣＤイメージセンサ１２が入射光を光電変換することで、原稿の画像を読み取る。
【００２８】
そして、画像読取装置１は、図２に示す画像処理回路２０を備えており、画像処理回路２０は、上記ＣＣＤイメージセンサ１２、タイミング発生回路２１、ＦＶコンバータ（周波数電圧変換器）２２、Ａ／Ｄ変換器２３、ドライバＩＣ（駆動手段）２４、アナログ処理回路２５及びＡ／Ｄ変換器２６等を備えている。
【００２９】
タイミング発生回路２１は、所定周波数の駆動用クロックＸφ１と駆動用クロックＸφ２及びその他の信号を発生し、駆動用クロックＸφ１、Ｘφ２をドライバＩＣ２４に出力するとともに、ＦＶ変換器２２に駆動用クロックＸφ１、Ｘφ２の周波数と同じ周波数の参照クロックを出力する。
【００３０】
ＦＶ変換器２２は、タイミング発生回路２１から入力される参照クロックの周波数を電圧値に変換して周波数対応電圧をＡ／Ｄ変換器２３に出力し、Ａ／Ｄ変換器２３は、ＦＶ変換器２２から入力される周波数対応電圧をデジタル変換して周波数対応電圧データ（デジタル電圧データ）としてドライバＩＣ２４に出力する。
【００３１】
ドライバＩＣ２４は、例えば、汎用ドライバＩＣであるＡＣＴ２４０のブロックに相当する複数の駆動回路ブロック（駆動ブロック）２４Ａ〜２４Ｐを備えているとともに、デコーダ３０を備えており、デコーダ３０には、上記Ａ／Ｄ変換器２３から周波数対応電圧データが入力される。
【００３２】
そして、ドライバＩＣ２４は、ＣＣＤイメージセンサ１２の出力をＡ／Ｄ変換するＡ／Ｄ変換器２６の階調数以上の数の駆動回路ブロック２４Ａ〜２４Ｐを備えており、各駆動回路ブロック２４Ａ〜２４Ｐは、それぞれその出力にイネイブル端子を備えている。
【００３３】
デコーダ３０は、Ａ／Ｄ変換器２３からの周波数対応電圧データをデコードして、当該周波数対応電圧データのデジタル値に応じて何個の駆動回路ブロック２４Ａ〜２４Ｐをイネイブルにするかを決定し、対応する駆動回路ブロック２４Ａ〜２４Ｐのイネイブル端子にローのイネイブル信号（ローがアクティブ）を出力し、残りの駆動回路ブロック２４Ａ〜２４Ｐのイネイブル端子には、ハイのイネイブル信号を出力する。したがって、ドライバＩＣ２４は、Ａ／Ｄ変換器２３のビット数と同じ数の駆動回路ブロック２４Ａ〜２４Ｐを備えている。
【００３４】
ドライバＩＣ２４は、デコーダ３０からローのイネイブル信号がそのイネイブル端子に入力されている駆動回路ブロック２４Ａ〜２４Ｐのみが動作して、タイミング発生器２１からの駆動用クロックＸφ１、Ｘφ２に基づいて駆動信号φ１、φ２を生成して、ＣＣＤイメージセンサ１２に出力する。
【００３５】
ＣＣＤイメージセンサ１２は、ドライバＩＣ２４からの駆動信号φ１、φ２及び図示しないクランプ信号ＣＰやリセット信号ＲＳ等に基づいて動作して、上記原稿で反射され第１キャリッジ６上の第１ミラー５、第２キャリッジ９上の第２ミラー７及び第３ミラー８で順次反射されて、レンズユニット１０を介して入力される入力光を光電変換してアナログ画像信号として、アナログ処理回路２５に出力する。
【００３６】
アナログ処理回路２５は、ＣＣＤイメージセンサ１２から入力されるアナログ画像信号の増幅処理及びサンプルホールド処理等を行って、Ａ／Ｄ変換器２６に出力し、Ａ／Ｄ変換器２６は、アナログ処理回路２５から入力されるアナログ画像信号をデジタル変換してデジタル画像データとして、図外の後段の回路に出力する。
【００３７】
次に、本実施例の作用を説明する。本実施例の画像読取装置１は、ＣＣＤイメージセンサ１２を駆動させる複数の駆動周波数に応じてドライバＩＣ２４の駆動回路ブロック２４Ａ〜２４Ｐの数を適切に選択して駆動させる。
【００３８】
すなわち、画像読取装置１は、コンタクトガラス３上にセットされた原稿を、第１キャリッジ６及び第２キャリッジ９を副走査方向に移動させながら、第１キャリッジ６に搭載された光源４から、コンタクトガラス３上の原稿に光を照射して、原稿で反射された光を、第１キャリッジ６上の第１ミラー５、第２キャリッジ９上の第２ミラー７及び第３ミラー８で順次反射して、レンズユニット１０を介してＣＣＤイメージセンサ１２に集光照射し、ＣＣＤイメージセンサ１２で入射光を光電変換して、原稿の画像を読み取る。このとき、ＣＣＤイメージセンサ１２には、駆動信号φ１、φ２がドライバＩＣ２４から入力されるが、ドライバＩＣ２４は、ＩＤ変換器２６の階調数以上の数であって、Ａ／Ｄ変換器２３のビット数と同じ数の駆動回路ブロック２４Ａ〜２４Ｐを備えており、ＣＣＤイメージセンサ１２の駆動周波数に応じた数の駆動回路ブロック２４Ａ〜２４Ｐを動作させて駆動信号φ１、φ２を生成してＣＣＤイメージセンサ１２に出力する。
【００３９】
すなわち、タイミング発生回路２１は、ＣＣＤイメージセンサ１２の駆動周波数に対応する周波数の駆動用クロックＸφ１、Ｘφ２及びその他の信号を発生して、駆動用クロックＸφ１、Ｘφ２をドライバＩＣ２４に出力するとともに、ＦＶ変換器２２に駆動用クロックＸφ１、Ｘφ２の周波数と同じ周波数の参照クロックを出力し、ＦＶ変換器２２は、タイミング発生回路２１から入力される参照クロックの周波数を電圧値に変換して周波数対応電圧をＡ／Ｄ変換器２３に出力する。
【００４０】
Ａ／Ｄ変換器２３は、ＦＶ変換器２２から入力される周波数対応電圧をデジタル変換して周波数対応電圧データとしてドライバＩＣ２４のデコーダ３０に出力し、デコーダ３０は、Ａ／Ｄ変換器２３からの周波数対応電圧データをデコードして、当該周波数対応電圧データのデジタル値に応じて何個の駆動回路ブロック２４Ａ〜２４Ｐをイネイブルにするかを決定して、対応する駆動回路ブロック２４Ａ〜２４Ｐのイネイブル端子にローのイネイブル信号を出力し、残りの駆動回路ブロック２４Ａ〜２４Ｐのイネイブル端子には、ハイのイネイブル信号を出力する。
【００４１】
ドライバＩＣ２４は、デコーダ３０からローのイネイブル信号がそのイネイブル端子に入力されている駆動回路ブロック２４Ａ〜２４Ｐのみが動作して、タイミング発生器２１からの駆動用クロックＸφ１、Ｘφ２に基づいて駆動信号φ１、φ２を生成し、ＣＣＤイメージセンサ１２に出力する。
【００４２】
なお、上記説明では、駆動周波数に基づいて、ドライバＩＣ２４の駆動回路ブロック２４Ａ〜２４Ｐをイネイブルとする駆動回路ブロック数を決定しているが、ディセイブルとする駆動ブロック数を決定しても良い。
【００４３】
このように、本実施例の画像読取装置１は、複数の駆動周波数に対応して撮像対象である原稿からの入射光を光電変換して撮像するＣＣＤイメージセンサ１２を駆動するドライバＩＣ２４の駆動回路ブロック２４Ａ〜２４Ｐの数を、現在の駆動周波数に応じて、簡単かつ適切に選択して駆動させる。
【００４４】
したがって、各種周波数で簡単かつ適切に動作させることができ、利用性を向上させることができる。
【００４５】
また、本実施例の画像読取装置１は、ＦＶ変換器２２で、駆動周波数を検出して周波数対応電圧値に変換し、Ａ／Ｄ変換器２３で、当該周波数対応電圧値からイネイブルまたはディセイブルとする駆動回路ブロック数に対応するデジタルの電圧データにデジタル変換して周波数対応電圧データをドライバＩＣ２４のデコーダ３０に入力し、ドライバＩＣ２４のデコーダ３０が、当該周波数対応電圧データに応じて駆動回路ブロック２４Ａ〜２４Ｐの出力をイネイブルまたはディセイブルに切り換えている。
【００４６】
したがって、安価かつ簡単な回路構成で、各種周波数でより一層簡単かつ適切に動作させることができ、利用性を向上させることができる。
【００４７】
以上、本発明者によってなされた発明を好適な実施例に基づき具体的に説明したが、本発明は上記のものに限定されるものではなく、その要旨を逸脱しない範囲で種々変更可能であることはいうまでもない。
【産業上の利用可能性】
【００４８】
ＣＣＤ等の光電変換素子で画像を撮影するスキャナ、複合装置、ファクシミリ装置、複写装置、デジタルスチルカメラ等の光電変換素子駆動装置及び画像読取装置に適用することができる。
【図面の簡単な説明】
【００４９】
【図１】本発明の光電変換素子駆動装置及び画像読取装置の一実施例を適用したブック型の画像読取装置の正面概略構成図。
【図２】図１の画像読取装置の画像処理回路の回路構成図。
【図３】従来の画像読取装置の画像処理回路の回路構成図。
【符号の説明】
【００５０】
１  画像読取装置
２  本体筐体
３  コンタクトガラス
４  光源
５  第１ミラー
６  第１キャリッジ
７  第２ミラー
８  第３ミラー
９  第２キャリッジ
１０  レンズユニット
１１  センサーボードユニット
１２  ＣＣＤイメージセンサ
１３  圧板
２０  画像処理回路
２１  タイミング発生回路
２２  ＦＶコンバータ
２３  Ａ／Ｄ変換器
２４  ドライバＩＣ
２５  アナログ処理回路
２６  Ａ／Ｄ変換器
【図１】
2006303591.tif 000003
【図２】
2006303591.tif 000004
【図３】
2006303591.tif 000005